(57)【要約】【課題】二重に重ね合わせたスクリーンを上下方向に相対移動させて室内への採光量を調節可能としたロールブラインドにおいて、大型化を防止しながらスクリーンを円滑に昇降し得るウェイトバーを提供する。【解決手段】ウェイトバー８は、スクリーン６の無端縁に挿通するメインローラー９と、ウェイトバー８のケースに設けられ、メインローラー９との間で前後のスクリーン６を挟みながら巻取軸に向かって近接した状態で案内する案内手段１６ａ，１６ｂを備えた。【選択図】図５
2010001656.tif 000002
【特許請求の範囲】
【請求項１】
一対の支持部材間に支持された巻取軸からスクリーンを無端状に垂下し、前記スクリーンの無端縁にウェイトバーを掛装し、前後に重なる前記スクリーンを上下方向に相対移動させることによりスクリーンを透過する光量を調節可能としたロールブラインドにおいて、
前記ウェイトバーは、
前記スクリーンの無端縁に挿通するメインローラーと、
前記ウェイトバーのケースに設けられ、前記メインローラーとの間で前後の前記スクリーンを挟みながら前記巻取軸に向かって近接した状態で案内する案内手段と
を備えたことを特徴とするロールブラインドのウェイトバー。
【請求項２】
前記案内手段は、前記メインローラーの外周面に支持されるとともに、互いに近接した位置でケースに回転可能に支持される一対のフェイスローラーとしたことを特徴とする請求項１記載のロールブラインドのウェイトバー。
【請求項３】
前記各フェイスローラーを複数のローラーに分割し、該ローラーを前記ケースに回転可能に支持したことを特徴とする請求項２記載のロールブラインドのウェイトバー。
【請求項４】
前記ケースを前記メインローラーに対し上下方向に相対移動可能に支持したことを特徴とする請求項２又は３記載のロールブラインドのウェイトバー。
【請求項５】
前記ケースは、前記メインローラー及びフェイスローラーを収容する筒状としたことを特徴とする請求項２乃至４のいずれか１項に記載のロールブラインドのウェイトバー。
【請求項６】
前記メインローラーを筒状のケースに収容し、前記案内手段は、前記ケースに設けた案内面としたことを特徴とする請求項１記載のロールブラインドのウェイトバー。
【請求項７】
前記メインローラーを筒状のケースに収容し、前記ケースを前記メインローラーに対し上下方向に相対移動可能に支持し、前記案内手段は、前記ケースに設けた案内面と、前記ケースに回転可能に回転可能に支持されるとともに、前記メインローラーの外周面に支持されるフェイスローラーとで構成したことを特徴とする請求項１記載のロールブラインドのウェイトバー。
【請求項８】
前記スクリーンの一方の上端部を巻取軸に取着し、他方の上端部を前記支持部材間に支持されたサポートパイプに取着し、前記巻取軸の回転に基づいて前記スクリーンを上下方向に相対移動可能としたことを特徴とする請求項１乃至７のいずれか１項に記載のロールブラインドのウェイトバー。
【請求項９】
前記スクリーンの上端部を前記巻取軸に互いに逆方向に巻回して取着し、前記スクリーンを平行に垂下するための案内パイプを前記巻取軸の下方に設けたことを特徴とする請求項１乃至７のいずれか１項に記載のロールブラインドのウェイトバー。
【請求項１０】
前記スクリーンは、光を透過する透過部と、光を透過させない不透過部を所定間隔毎に交互に設けたことを特徴とする請求項１乃至９のいずれか１項に記載のロールブラインドのウェイトバー。
【発明の詳細な説明】
【技術分野】
【０００１】
この発明は、複数枚のスクリーンを重ね合わせた状態で吊下支持し、そのスクリーンの重なり方を調節することにより、室内への採光量を調節可能としたロールブラインドに関するものである。
【背景技術】
【０００２】
従来、二重に重ね合わせたスクリーンを上下方向に相対移動させて室内への採光量を調節可能としたロールブラインドが種々提案されている。
特許文献１に記載されたロールブラインドでは、スクリーンに光の透過量の多い粗い織り方とした透過部と、ほぼ光を透過させない蜜な織り方とした不透過部とが一定間隔毎に交互に形成されている。そして、スクリーンは支持部材に支持される巻取軸とサポートパイプとの間で無端状に吊下支持され、その無端状部にウェイトバーを構成するメインローラーが挿通されている。
【０００３】
そして、操作コードの操作により巻取軸にスクリーンを巻取りあるいは巻き戻すことにより、ウェイトバーを昇降してスクリーンを昇降可能となっている。また、スクリーンの透過部が重なり合うように調節すれば、その透過部から外光を採り入れ可能であり、透過部と不透過部とが重なり合うように調節すれば、外光を遮断可能となっている。
【０００４】
メインローラーの上方には一対のフェイスローラーが回転可能に支持されて、メインローラーから上方へ案内されるスクリーンの間隔を小さくして外光遮断時の光漏れを防止している。
【特許文献１】特許第３３１１９９４号公報
【発明の開示】
【発明が解決しようとする課題】
【０００５】
特許文献１に記載されたロールブラインドでは、メインローラーの径に対し、フェイスローラーの径を小さくして、メインローラーから上方へ案内されるスクリーンの間隔を小さくすることが望ましい。
【０００６】
しかし、フェイスローラーの径を小さくすると、そのフェイスローラーが自重により撓んで円滑な回転が阻害され、ウェイトバーの昇降操作に支障を来たすという問題点がある。特に、図１１に示すように、メインローラー５２の周面上にフェイスローラー５１ａ，５１ｂが支持される状態であっても、フェイスローラー５１ａ，５１ｂの重量Ｗに基づく分力Ｆによりフェイスローラー５１ａ，５１ｂに撓みが発生する。
【０００７】
一方、フェイスローラーの径を小さくすることなく、メインローラーの径を大きくすると、ウェイトバーが大型化して美観上好ましくない。
また、スクリーンの生地の材質によって、ウェイトバーの重量を重くする必要があるときには、メインローラーの重量を重くする必要がある。しかし、径を大きくすることなく重量を稼ぐことが困難である。
【０００８】
この発明の目的は、二重に重ね合わせたスクリーンを上下方向に相対移動させて室内への採光量を調節可能としたロールブラインドにおいて、大型化を防止しながらスクリーンを円滑に昇降し得るウェイトバーを提供することにある。
【課題を解決するための手段】
【０００９】
請求項１では、一対の支持部材間に支持された巻取軸からスクリーンを無端状に垂下し、前記スクリーンの無端縁にウェイトバーを掛装し、前後に重なる前記スクリーンを上下方向に相対移動させることによりスクリーンを透過する光量を調節可能としたロールブラインドにおいて、前記ウェイトバーは、前記スクリーンの無端縁に挿通するメインローラーと、前記ウェイトバーのケースに設けられ、前記メインローラーとの間で前後の前記スクリーンを挟みながら前記巻取軸に向かって近接した状態で案内する案内手段とを備えた。
【００１０】
請求項２では、前記案内手段は、前記メインローラーの外周面に支持されるとともに、互いに近接した位置でケースに回転可能に支持される一対のフェイスローラーとしたこと。
【００１１】
請求項３では、前記各フェイスローラーを複数のローラーに分割し、該ローラーを前記ケースに回転可能に支持した。
請求項４では、前記ケースを前記メインローラーに対し上下方向に相対移動可能に支持した。
【００１２】
請求項５では、前記ケースは、前記メインローラー及びフェイスローラーを収容する筒状とした。
請求項６では、前記メインローラーを筒状のケースに収容し、前記案内手段は、前記ケースに設けた案内面とした。
【００１３】
請求項７では、前記メインローラーを筒状のケースに収容し、前記ケースを前記メインローラーに対し上下方向に相対移動可能に支持し、前記案内手段は、前記ケースに設けた案内面と、前記ケースに回転可能に回転可能に支持されるとともに、前記メインローラーの外周面に支持されるフェイスローラーとで構成した。
【００１４】
請求項８では、前記スクリーンの一方の上端部を巻取軸に取着し、他方の上端部を前記支持部材間に支持されたサポートパイプに取着し、前記巻取軸の回転に基づいて前記スクリーンを上下方向に相対移動可能とした。
【００１５】
請求項９では、前記スクリーンの上端部を前記巻取軸に互いに逆方向に巻回して取着し、前記スクリーンを平行に垂下するための案内パイプを前記巻取軸の下方に設けた。
請求項１０では、前記スクリーンは、光を透過する透過部と、光を透過させない不透過部を所定間隔毎に交互に設けた。
【発明の効果】
【００１６】
本発明によれば、二重に重ね合わせたスクリーンを上下方向に相対移動させて室内への採光量を調節可能としたロールブラインドにおいて、大型化を防止しながらスクリーンを円滑に昇降し得るウェイトバーを提供することができる。
【発明を実施するための最良の形態】
【００１７】
（第一の実施形態）
以下、この発明を具体化した第一の実施形態を図面に従って説明する。
図１〜図３に示すロールブラインドは、取付フレーム１の両端に支持部材２ａ，２ｂが固定され、その支持部材２ａ，２ｂ間に巻取軸３が回転可能に支持される。前記巻取軸３の一端部には操作装置４が設けられ、その操作装置４からボールチェーンにてなる無端状の操作コード５が垂下されている。そして、操作コード５の操作により巻取軸３を回転操作可能である。
【００１８】
前記巻取軸３にはスクリーン６の一端が巻着され、同スクリーン６の他端は前記巻取軸３の後方で前記支持部材２ａ，２ｂに支持されたサポートパイプ７に取着されている。前記巻取軸３とサポートパイプ７との間で垂下されるスクリーン６の下端部は無端状となり、その無端状部にウェイトバー８を構成するメインローラー９が挿通されている。従って、スクリーン６はウェイトバー８の重量に基づいて緊張される。
【００１９】
そして、操作コード５を操作してスクリーン６を巻取軸３に巻取ると、ウェイトバー８が上昇し、スクリーン６を巻取軸３から巻戻すと、ウェイトバー８が下降する。
前記巻取軸３内には、摩擦装置及び減速装置が内蔵され、その摩擦装置及び減速装置によりウェイトバー８の自重降下が防止される。
【００２０】
前記ウェイトバー８の具体的構成を図４及び図５に従って説明する。ウェイトバー８のケース１０は上辺の中央部に開口溝１１が形成された四角筒状に形成され、アルミ押出し形材で形成される。前記ケース１０の両端にはキャップ１２が嵌着され、そのキャップ１２の中央部には上下方向に長孔１３が形成されている。
【００２１】
前記メインローラー９はアルミ押出し形材で円筒状に形成され、両端部に蓋部材１４が嵌着されている。そして、蓋部材１４の中央部から突出する支軸１５が前記長孔１３内で回転可能にかつ長孔１３に沿って上下方向に移動可能となっている。
【００２２】
前記ケース１０内において、前記メインローラー９の上方には一対のフェイスローラー１６ａ，１６ｂが配設されている。このフェイスローラー１６ａ，１６ｂの中心は、図５に示すように、前記メインローラー９の斜め上方に位置し、メインローラー９の直径を２５〜３０ｍｍとしたとき、フェイスローラー１６ａ，１６ｂは６〜７ｍｍの直径のアルミ押出し形材で形成される。
【００２３】
また、フェイスローラー１６ａ，１６ｂは、メインローラー９とほぼ同一の範囲で配設されるが、メインローラー９の長さを２０００ｍｍ前後としたとき、例えばその長さを６分割した長さのローラーを連結して構成される。そして、分割された各フェイスローラー１６ａ，１６ｂは、両端にそれぞれ取着された支軸部１７が前記ケース１０に形成された軸受部１８に回転可能に支持されている。
【００２４】
このように構成されたウェイトバー８に対し、前記スクリーン６はフェイスローラー１６ａ，１６ｂ間を経てメインローラー９を周回し、再びフェイスローラー１６ａ，１６ｂ間を経て上方へ案内される。
【００２５】
そして、メインローラー９がスクリーン６で支持されている状態では、メインローラー９がケース１０に対し上下方向に相対移動可能であることから、フェイスローラー１６ａ，１６ｂがメインローラー９の外周面上に支持される状態となり、スクリーン６はフェイスローラー１６ａ，１６ｂとメインローラー９とで挟まれる状態となる。この状態では、フェイスローラー１６ａ，１６ｂ及びケース１０の重量がメインローラー９に荷重として作用する。
【００２６】
前記スクリーン６は布地で形成され、図６に示すように、光の透過量の多い粗い織り方とした透過部１９と、ほぼ光を透過させない密な織り方とした不透過部２０とが一定間隔毎に交互に形成されている。
【００２７】
従って、巻取軸３とウェイトバー８との間の２枚のスクリーン６の透過部１９が重なり合う状態では、不透過部２０が重なり合い、透過部１９から採光可能な状態となる。また、２枚のスクリーン６の透過部１９と不透過部２０が重なり合うと、外光を遮断可能な状態となる。
【００２８】
次に、前記サポートパイプ７を回転させて、前記透過部１９と不透過部２０との重なりを調整する調節部について説明する。図７に示すように、前記サポートパイプ７の一端は、前記支持部材２ａに設けられた調節部２１ａに支持され、他端は前記支持部材２ｂに回動可能に支持されている。
【００２９】
前記調節部２１ａは、支持部材２ａに軸受筒２２が取着され、その軸受筒２２にダイヤル軸２３が回転可能に支持されている。前記ダイヤル軸２３の先端部には四角孔２４が形成され、その四角孔２４に前記サポートパイプ７の一端部に設けられた四角軸２５が嵌合されて、ダイヤル軸２３とサポートパイプ７が一体に回転するようになっている。
【００３０】
前記軸受筒２２とダイヤル軸２３との間には、捩りコイルスプリングで形成されたストッパ２６が配設されている。このストッパ２６は、常には軸受筒２２の内周面に圧着されて、ダイヤル軸２３の回転、すなわちサポートパイプ７から垂下されるスクリーン６の荷重によるサポートパイプ７の回転を阻止する。
【００３１】
また、ダイヤル軸２３を回転操作すると、ストッパ２６と軸受筒２２との摩擦が軽減されてダイヤル軸２３が軸受筒２２内で回転され、サポートパイプ７がダイヤル軸２３と一体に回転される。
【００３２】
前記ダイヤル軸２３の基端面の中心部には六角孔２７が形成され、六角レンチを挿入してダイヤル軸２３を回転操作可能となっている。そして、図３に示すように、前記スクリーン６の端部は止め具２８でサポートパイプ７に取着され、同サポートパイプ７から前記巻取軸３側に垂下されている。
【００３３】
次に、上記のように構成されたロールブラインドの動作を説明する。
操作コード５を操作して、巻取軸３をスクリーン巻取り方向へ回転させると、スクリーン６が巻取軸３に巻き取られ、ウェイトバー８が引き上げられる。また、巻取軸３をスクリーン巻戻し方向へ回転させると、スクリーン６が巻取軸３から巻戻され、ウェイトバー８が下降する。
【００３４】
ウェイトバー８を所望高さまで引き上げ、あるいは下降させた後操作コード５の操作を停止すれば、スクリーン６はその所望位置に吊下支持される。
このとき、サポートパイプ７と巻取軸３から垂下されるスクリーン６の不透過部２０が重なり合うようにすると、透過部１９から採光可能となり、透過部１９と不透過部２０が完全に重なり合うようにすると、スクリーン６で外光が遮断される。
【００３５】
ウェイトバー８では、スクリーン６がフェイスローラー１６ａ，１６ｂ間から下方へ案内されてメインローラー９を周回し、再びフェイスローラー１６ａ，１６ｂ間を経て上方へ案内される。そして、メインローラー９とケース１０が上下方向に相対移動可能であるので、スクリーン６で支持されたメインローラー９にフェイスローラー１６ａ，１６ｂを介してケース１０が支持された状態となる。
【００３６】
従って、メインローラー９にはケース１０とフェイスローラー１６ａ，１６ｂの重量が荷重として作用してスクリーン６が緊張され、フェイスローラー１６ａ，１６ｂがメインローラー９との間にスクリーン６を挟んだ状態で、スクリーン６の移動とともに回転する。
【００３７】
また、フェイスローラー１６ａ，１６ｂはそれぞれ複数に分割されてケース１０の軸受部１８に支持されているので、その自重による撓みが防止され、スクリーン６の移動とともに安定して回転する。
【００３８】
ウェイトバー８を下限まで下降させた状態では、透過部１９と不透過部２０が重なり合うようにして、外光を遮断する状態とすることが必要である。そこで、ウェイトバー８を下限まで下降させた状態で透過部１９と不透過部２０が完全に重ならないときには、ダイヤル軸２３を回転操作してサポートパイプ７にスクリーン６を巻取り、あるいはサポートパイプ７からスクリーン６を巻戻して、透過部１９と不透過部２０が完全に重なるように調整する。
【００３９】
図８〜図１０は、サポートパイプ７を回転操作して、スクリーン６の透過部１９と不透過部２０の重なりを調整する調節部の別の実施形態を示す。
この実施形態では、取付フレーム１から後方に支持片２９が延設され、その取付フレーム１の一端部において、支持片２９に調節部２１ｂを構成するギヤケース３０が取着されている。
【００４０】
前記ギヤケース３０には前記巻取軸３に直交する方向で水平方向に延びる調節軸３１の基端部が回転可能に支持され、その調節軸３１の先端部は取付フレーム１の下方において、前方すなわち室内側に向かって延設され、その先端面にマイナスドライバを係合可能とした溝３２が形成されている。
【００４１】
前記ギヤケース３０内において、前記調節軸３１の基端部にはウォーム３３が形成され、そのウォーム３３に噛み合うウォームホィール３４が回転可能に支持されている。
前記ウォームホィール３４の中心部には六角孔３５が形成され、その六角孔３５に六角軸３６の基端部が挿通されている。前記サポートパイプ７の一端には終端部材３７ａが嵌着され、その終端部材３７ａの中心部には六角孔３８が形成されている。そして、前記六角軸３６の先端部が六角孔３８に挿通されている。従って、サポートパイプ７の一端は前記ウォームホィール３４に相対回転不能に支持されている。
【００４２】
前記取付フレーム１の他端において、前記支持片２９には軸受部材３９が取着されている。また、前記サポートパイプ７の他端には終端部材３７ｂが嵌着され、その終端部材３７ｂに設けられた軸部４０が前記軸受部材３９に回転可能に支持されている。従って、サポートパイプ７は前記ギヤケース３０と軸受部材３９との間で回転可能に支持され、前記ウォームホィール３４と一体に回転する。
【００４３】
前記取付フレーム１の長手方向中間部において、前記支持片２９にはホルダー４１が取着され、そのホルダー４１に前記サポートパイプ７の中間部が回転可能に支持されている。図１０に示すように、前記ホルダー４１はサポートパイプ７の下面から背面側にかけて支持する軸受として形成され、サポートパイプ７の自重垂れを防止している。そして、サポートパイプ７を回転させてスクリーン６を巻き取ると、サポートパイプ７はスクリーン６を巻き取った状態でホルダー４１に支持される。
【００４４】
このように構成された調節部２１ｂでは、調節軸３１の溝３２にマイナスドライバを係合させて調節軸３１を回転させると、ウォーム３３及びウォームホィール３４を介してサポートパイプ７が回転される。そして、サポートパイプ７にスクリーン６を巻取り、あるいは巻戻すことにより、ウェイトバー８を下限まで下降させた状態でスクリーン６の透過部１９と不透過部２０とが重なるように調整可能である。
【００４５】
上記のように構成されたロールブラインドでは、次に示す作用効果を得ることができる。
（１）フェイスローラー１６ａ，１６ｂを複数のローラーに分割してケース１０に支持したので、その径を小さくしても撓みにくい。従って、フェイスローラー１６ａ，１６ｂを円滑に回転させて、メインローラー９との間でスクリーン６を円滑に案内することができる。
（２）フェイスローラー１６ａ，１６ｂが撓みにくいので、フェイスローラー１６ａ，１６ｂの径を小さくできるとともに、メインローラー９の径も小さくすることができる。従って、ウェイトバー８を小型化することができる。
（３）フェイスローラー１６ａ，１６ｂ及び筒状のケース１０の重量をメインローラー９に荷重として作用させることができるので、メインローラー９の径を小さくしても、スクリーン６に対し十分な荷重をかけて緊張することができる。
（４）メインローラー９の周面上にフェイスローラー１６ａ，１６ｂを支持するので、スクリーン６の布厚の変化による調整作業は不要である。そして、スクリーン６の布厚に関わらず、フェイスローラー１６ａ，１６ｂとメインローラー９との間でスクリーン６を一定の荷重で挟みながら案内することができる。
（５）フェイスローラー１６ａ，１６ｂを小径としてメインローラー９の上方に近接して位置させることができるので、フェイスローラー１６ａ，１６ｂ間から上方へ案内されるスクリーン６を近接させることができる。従って、透過部１９と不透過部２０とを重なり合うように調整したとき、スクリーン６に対し上方あるいは下方から斜めに入射する光を遮断することができる。
（６）調節部２１ａ，２１ｂの操作により、ウェイトバー８を下限まで下降させた状態での透過部１９と不透過部２０とが完全に重なり合うように調整することができる。従って、ウェイトバー８を下限まで下降させた状態で外光を確実に遮断することができる。
（７）調節部２１ａでは、支持部材２ａの側方からサポートパイプ７を回転操作して透過部１９と不透過部２０との重なりを調整することができる。
（８）調節部２１ｂでは、巻取軸３の前方すなわち室内側からサポートパイプ７を回転操作して透過部１９と不透過部２０との重なりを調整することができる。
（第二の実施形態）
図１２は第二の実施形態を示す。この実施形態は、フェイスローラーを設けることなく、スクリーンをウェイトバーから巻取軸及びサポートパイプに案内するようにしたものである。
【００４６】
図１２に示すように、ウェイトバー８ａのケース４２の開口溝４３の下方部分は、メインローラー９に向かって凸面となる案内面４４が形成されている。メインローラー９は、その両端部がサイドキャップに回転可能にかつ上下方向に相対移動不能に支持され、そのメインローラー９に巻回されるスクリーン６は開口溝４３から上方へ案内され、その上端部が前記第一の実施形態と同様な巻取軸及びサポートパイプに取着される。
【００４７】
このように構成されたウェイトバー８ａでは、スクリーン６が巻取軸に巻き取られ、あるいは巻き戻されると、メインローラー９が回転され、スクリーン６は案内面４４に摺動しながら移動する。
【００４８】
案内面４４には、摩擦係数の低いフッ素樹脂コーティングが施され、あるいはフッ素樹脂テープが貼り付けられて、スクリーン６の摺動抵抗が軽減されている。
この実施形態のウェイトバー８ａではフェイスローラーを必要としないので、前記第一の実施形態のウェイトバー８に比して小型化することができる。
（第三の実施形態）
図１３は、第三の実施形態を示す。この実施形態のウェイトバー８ｂは、メインローラー９から上方へ案内されるスクリーン６の一方を前記第一の実施形態と同様なフェイスローラー４５で案内し、他方を前記第二の実施形態と同様な案内面４４で案内する構成としたものである。
【００４９】
フェイスローラー４５から上方へ案内されるスクリーン６の上端部は巻取軸に巻着され、案内面４４から上方へ案内されるスクリーン６の上端部はサポートパイプに取着される。巻取軸及びサポートパイプの構成は第一の実施形態と同様である。
【００５０】
メインローラー９は、第一の実施形態と同様にその支軸１５がサイドキャップの長孔１３に対し上下動可能にかつ回動可能に支持されている。
この実施の形態のウェイトバー８ｂでは、フェイスローラー４５を１個としたので、第一の実施形態のウェイトバー８に比して小型化することができるとともに、案内面４４を一つとしたので、第二の実施形態に比してスクリーン６の摺動抵抗を低減することができる。
（第四の実施形態）
図１４及び図１５は第四の実施形態を示す。前記第一〜第三の実施形態では、スクリーンの上端部を巻取軸とサポートパイプに取着したが、この実施の形態ではスクリーンの上端部をともに巻取軸に取着する構成としたものである。
【００５１】
図１５に示すように、スクリーン６の上端にはそれぞれ係止具４６が取着され、その上端部が巻取軸４７に対し互いに逆方向に巻回されて、各係止具４６が巻取軸４７に取着されている。
【００５２】
スクリーン６の下端部に吊下支持されるウェイトバー８ａは、前記第二の実施形態と同様な構成である。そして、ウェイトバー８ａを下限まで下降させた状態では、巻取軸４７から垂下されるスクリーンのうち、一方は巻取軸４７から垂下され、他方は案内パイプ４８を介して垂下されて、スクリーン６が前後に密接し、かつ平行な状態で垂下される。
【００５３】
前記案内パイプ４８は、図１４に示すように、その両端部が支持部材４９に支持されている。そして、巻取軸４７から垂下されるスクリーン６が室内側となるように設置される。
【００５４】
また、前記スクリーン６には上下方向及び左右方向に所定間隔毎に採光用の透孔５０が透過部として形成され、前後のスクリーン６で透孔５０が重なると、その重なり部分から採光可能となっている。
【００５５】
上記のように構成されたロールブラインドでは、図１５に示すように、ウェイトバー８ａを下限まで下降させた状態では、巻取軸４７を正逆方向に回転させると、前後に重なるスクリーン６が上下方向に相対移動する。そして、透孔５０の重なり具合を調整することにより、採光量を調節することができる。
【００５６】
また、巻取軸４７を矢印方向に回転させると、前後のスクリーン６が重ねあわされた状態で巻取軸４７に巻き取られ、ウェイトバー８ａが引き上げられる。
この実施の形態のロールブラインドでは、ウェイトバー８ａを下限まで下降させた状態で採光量を調節することができるとともに、サポートパイプを設ける必要がない。
【００５７】
上記実施の形態は、以下の態様で実施してもよい。
・メインローラー９の両端をケース１０の長孔１３に支持することなく、ケース１０に対しフリー状態としてもよい。
・前記ケース１０の表面に装飾シートを貼着してもよい。
【図面の簡単な説明】
【００５８】
【図１】第一の実施形態のロールブラインドを示す正面図である。
【図２】第一の実施形態のロールブラインドを示す側面図である。
【図３】第一の実施形態のロールブラインドを示す縦断面図である。
【図４】ウェイトバーを示す断面図である。
【図５】ウェイトバーを示す断面図である。
【図６】スクリーンを示す斜視図である。
【図７】調節部を示す断面図である。
【図８】調節部を示す正面図である。
【図９】調節部を示す側面図である。
【図１０】ホルダーを示す側面図である。
【図１１】フェイスローラーの撓みの原因を示す説明図である。
【図１２】第二の実施形態のウェイトバーを示す側面図である。
【図１３】第三の実施形態のウェイトバーを示す側面図である。
【図１４】第四の実施形態のロールブラインドを示す正面図である。
【図１５】第四の実施形態のロールブラインドを示す側面図である。
【符号の説明】
【００５９】
２ａ，２ｂ，４９…支持部材、３，４７…巻取軸、６…スクリーン、７…サポートパイプ、８，８ａ，８ｂ…ウェイトバー、９…メインローラー、１０…ケース、１６ａ，１６ｂ，４４，４５…案内手段（案内面、フェイスローラー）。
【図１】
2010001656.tif 000003
【図２】
2010001656.tif 000004
【図３】
2010001656.tif 000005
【図４】
2010001656.tif 000006
【図５】
2010001656.tif 000007
【図６】
2010001656.tif 000008
【図７】
2010001656.tif 000009
【図８】
2010001656.tif 000010
【図９】
2010001656.tif 000011
【図１０】
2010001656.tif 000012
【図１１】
2010001656.tif 000013
【図１２】
2010001656.tif 000014
【図１３】
2010001656.tif 000015
【図１４】
2010001656.tif 000016
【図１５】
2010001656.tif 000017